(57)【要約】【課題】良好な画像を形成する。【解決手段】カラープリンタ１は、カラー現像剤画像を形成するカラー画像形成部と、該カラー画像形成部に対し転写媒体の搬送方向の上流側に配され、カラー現像剤画像とは異なる色の特色現像剤画像を形成する上流側特色画像形成部と、該カラー画像形成部に対し転写媒体の搬送方向の下流側に配され、上流側特色画像形成部と同一の色の特色現像剤画像を形成する下流側特色画像形成部とを設ける。【選択図】図１
2016153828.tif 000002
【特許請求の範囲】
【請求項１】
カラー現像剤画像を形成するカラー画像形成部と、
前記カラー画像形成部に対し転写媒体の搬送方向の上流側に配され、前記カラー現像剤画像とは異なる機能の特色現像剤画像を形成する上流側特色画像形成部と、
前記カラー画像形成部に対し転写媒体の搬送方向の下流側に配され、前記上流側特色画像形成部と同一の機能の特色現像剤画像を形成する下流側特色画像形成部と
を有する画像形成装置。
【請求項２】
前記下流側特色画像形成部よりも下流側に配され、前記転写媒体を加熱する定着部をさらに有する
請求項１に記載の画像形成装置。
【請求項３】
前記上流側特色画像形成部、前記カラー画像形成部及び前記下流側特色画像形成部の順に一方向に前記転写媒体を搬送した後、該前記上流側特色画像形成部、前記カラー画像形成部及び前記下流側特色画像形成部の何れにも該転写媒体を搬送することなく、該転写媒体を外部へ排出するよう搬送させる制御部をさらに有する
請求項１に記載の画像形成装置。
【請求項４】
前記カラー現像剤画像の背面に前記特色現像剤画像を形成する際は前記上流側特色画像形成部又は前記下流側特色画像形成部の一方から前記特色現像剤画像を形成する一方、前記カラー現像剤画像の前面に前記特色現像剤画像を形成する際は前記上流側特色画像形成部又は前記下流側特色画像形成部の他方から前記特色現像剤画像を形成する
請求項１に記載の画像形成装置。
【請求項５】
前記転写媒体において前記カラー現像剤画像の背面又は前面の何れか一方のみに前記特色現像剤画像を形成する場合、前記カラー現像剤画像の背面に前記特色現像剤画像を形成する際は前記上流側特色画像形成部又は前記下流側特色画像形成部の一方から前記特色現像剤画像を形成する一方、前記カラー現像剤画像の前面に前記特色現像剤画像を形成する際は前記上流側特色画像形成部又は前記下流側特色画像形成部の他方から前記特色現像剤画像を形成する
請求項４に記載の画像形成装置。
【請求項６】
前記転写媒体において前記カラー現像剤画像の背面及び前面の両方に前記特色現像剤画像を形成する場合、前記カラー現像剤画像の背面に前記特色現像剤画像を形成する際は前記上流側特色画像形成部又は前記下流側特色画像形成部の一方から前記特色現像剤画像を形成すると共に、前記カラー現像剤画像の前面に前記特色現像剤画像を形成する際は前記上流側特色画像形成部又は前記下流側特色画像形成部の他方から前記特色現像剤画像を形成する
請求項４に記載の画像形成装置。
【請求項７】
前記カラー画像形成部に対し転写媒体の搬送方向の上流側に配され、前記カラー現像剤画像とは異なる機能の特色現像剤画像を形成する上流側第２特色画像形成部と、
前記カラー画像形成部に対し転写媒体の搬送方向の下流側に配され、前記上流側第２特色画像形成部と同一の機能の特色現像剤画像を形成する下流側第２特色画像形成部と
をさらに有する請求項１に記載の画像形成装置。
【請求項８】
前記上流側特色画像形成部と前記上流側第２特色画像形成部とは、異なる機能の特色現像剤画像を形成し、前記下流側特色画像形成部と前記下流側第２特色画像形成部とは、異なる機能の特色現像剤画像を形成する
請求項７に記載の画像形成装置。
【請求項９】
前記上流側特色画像形成部と前記上流側第２特色画像形成部とは、同一の機能の特色現像剤画像を形成し、前記下流側特色画像形成部と前記下流側第２特色画像形成部とは、同一の機能の特色現像剤画像を形成する
請求項７に記載の画像形成装置。
【請求項１０】
前記転写媒体を搬送する搬送部と、
少なくとも前記カラー画像形成部から前記カラー現像剤画像を転写され、前記搬送部により搬送される前記転写媒体に少なくとも該カラー現像剤画像を転写する中間転写ベルトと
をさらに有する請求項１に記載の画像形成装置。
【請求項１１】
前記転写媒体を搬送し、該転写媒体に少なくとも前記カラー画像形成部から前記カラー現像剤画像を転写させる転写ベルト
をさらに有する請求項１に記載の画像形成装置。
【請求項１２】
前記上流側特色画像形成部及び前記下流側特色画像形成部は、白色の画像を形成する
請求項１に記載の画像形成装置。
【請求項１３】
前記上流側特色画像形成部及び前記下流側特色画像形成部は、透明な画像を形成する
請求項１に記載の画像形成装置。
【発明の詳細な説明】
【技術分野】
【０００１】
本発明は画像形成装置に関し、カラー現像剤に加え特色現像剤を用いて画像形成を行う画像形成装置に適用して好適なものである。
【背景技術】
【０００２】
従来、コンピュータにおいては、画像データを画像形成装置としてのプリンタへ送信することにより、該画像データを印刷させるものが広く普及している。プリンタは、複数設けられたドラムカートリッジから各色のトナーを出力させ印刷を行う。そのようなプリンタには、シアン、マゼンタ、イエロー及びブラックの４色のカラー現像剤であるカラートナーに加え特色現像剤として例えばホワイトトナーを用いるものがある。
【０００３】
またそのようなプリンタには、ホワイトトナーのドラムカートリッジをカラートナーのドラムカートリッジに対し転写媒体である印刷用紙の搬送方向の上流側又は下流側の一方のみに１個だけ配置し、カラー画像の背面又は前面にホワイトトナーを転写するものがある。
【０００４】
そのようなプリンタとして、例えばカラートナーカートリッジの下流側にのみホワイトトナーカートリッジが配された場合において、ホワイトトナーをカラートナーの後面に転写する際、プリンタ内部におけるカラートナーカートリッジ及びホワイトトナーカートリッジから印刷用紙にトナーが転写される領域である画像形成領域においてホワイトトナーを印刷用紙に一旦転写した後に、プリンタ内部において該印刷用紙を搬送し、再度画像形成領域へ該印刷用紙を搬送しカラートナーをホワイトトナーの前面に転写するのが提案されている（例えば、特許文献１参照）。
【先行技術文献】
【特許文献】
【０００５】
【特許文献１】特開２０１４−９５７８４号公報
【発明の概要】
【発明が解決しようとする課題】
【０００６】
しかしながら、従来技術の場合、画像形成領域において特色現像剤を転写した後にプリンタ内において転写媒体を搬送し、再度画像形成領域へ該転写媒体を搬送するため、１回目の現像剤転写と２回目の現像剤転写とで転写媒体の位置がずれてしまい、特色現像剤とカラー現像剤とで該転写媒体に形成される画像の位置がずれ画質が低下してしまう可能性があった。
【０００７】
本発明は以上の点を考慮してなされたもので、良好な画像を形成し得る画像形成装置を提案しようとするものである。
【課題を解決するための手段】
【０００８】
かかる課題を解決するため本発明の画像形成装置においては、カラー現像剤画像を形成するカラー画像形成部と、カラー画像形成部に対し転写媒体の搬送方向の上流側に配され、カラー現像剤画像とは異なる機能の特色現像剤画像を形成する上流側特色画像形成部と、カラー画像形成部に対し転写媒体の搬送方向の下流側に配され、上流側特色画像形成部と同一の機能の特色現像剤画像を形成する下流側特色画像形成部とを設けるようにした。
【０００９】
これにより本発明の画像形成装置は、カラー画像形成部、上流側特色画像形成部及び下流側特色画像形成部に転写媒体を一度通過させるだけで、カラー現像剤画像の前面又は背面の何れにも、該カラー現像剤画像との位置ずれを抑制しつつ特色現像剤画像を形成することができる。
【発明の効果】
【００１０】
本発明によれば、カラー画像形成部、上流側特色画像形成部及び下流側特色画像形成部に転写媒体を一度通過させるだけで、カラートナーの前面又は背面の何れにも特色トナーを転写することができ、かくして本発明は、良好な画像を形成し得る画像形成装置を実現できる。
【図面の簡単な説明】
【００１１】
【図１】第１の実施の形態によるカラープリンタの内部構成を示す左側面図である。
【図２】第１の実施の形態によるカラープリンタの機能構成を示すブロック図である。
【図３】第１の実施の形態による特色印刷設定画面の構成を示す図である。
【図４】第１の実施の形態による印刷処理手順（１）を示すフローチャートである。
【図５】第１の実施の形態による印刷処理手順（２）を示すフローチャートである。
【図６】第１の実施の形態によるカラープリンタにおける使用ドラムカートリッジ（１）を示す左側面図である。
【図７】第１の実施の形態によるカラープリンタにおける使用ドラムカートリッジ（２）を示す左側面図である。
【図８】第２の実施の形態によるカラープリンタの内部構成を示す左側面図である。
【図９】第２の実施の形態によるカラープリンタの機能構成を示すブロック図である。
【図１０】第２の実施の形態による特色印刷設定画面の構成を示す図である。
【図１１】第２の実施の形態による印刷処理手順（１）を示すフローチャートである。
【図１２】第２の実施の形態による印刷処理手順（２）を示すフローチャートである。
【発明を実施するための形態】
【００１２】
以下、発明を実施するための形態（以下実施の形態とする）について、図面を用いて説明する。
【００１３】
［１．第１の実施の形態］
［１−１．カラープリンタの内部構成］
図１に示すように、第１の実施の形態によるカラープリンタ１は、いわゆる二次転写方式のカラー用電子写真式プリンタであり、例えばＡ３サイズやＡ４サイズ等の大きさでなり可撓性を有する印刷用紙Ｐに対し、所望のカラー画像を印刷する。カラープリンタ１は、略箱型の筐体２を有している。以下の説明においては、カラープリンタ１のうち利用者が筐体２の正面に対峙する側を前側とし、その反対を後側とし、該前側に対峙した利用者から見て左及び右をそれぞれ左側及び右側とし、さらに上側及び下側を定義して説明する。
【００１４】
給紙トレイ４は、筐体２内の下側に配されており、印刷用紙Ｐを上下方向（積層方向）に積層させて収容する。給紙トレイ４の前側及び上側には、印刷用紙Ｐを搬送する繰出搬送部６が設けられている。繰出搬送部６は、印刷用紙Ｐを案内するガイドにより、給紙トレイ４から引き渡される印刷用紙Ｐを前上方へ進行させ、やがて後方向へ折り返すような搬送路を形成している。また繰出搬送部６には、搬送路を挟んで対向する２個の搬送ローラ対が設けられている。この搬送ローラ対は、図示しないモータから駆動力が供給されることにより所定方向へ回転し、搬送路に沿って印刷用紙Ｐを上方へ搬送することにより、この印刷用紙Ｐを中搬送部８へ引き渡す。
【００１５】
中搬送部８は、印刷用紙Ｐを案内するガイド及び複数のローラ対により構成されている。この中搬送部８は、印刷用紙Ｐの搬送路を、筐体２内を前後方向に横切るような直線状に形成している。また中搬送部８における前後の中央よりもやや後側には、トナー転写部１０が設けられている。
【００１６】
中搬送部８の上方には、画像形成部１２が設けられている。画像形成部１２は、ホワイト（Ｗ）のトナー画像を形成する上流側ホワイトドラムカートリッジ１４ＷＵと、ブラック（Ｋ）のトナー画像を形成するブラックドラムカートリッジ１４Ｋと、イエロー（Ｙ）のトナー画像を形成するイエロードラムカートリッジ１４Ｙと、マゼンタ（Ｍ）のトナー画像を形成するマゼンタドラムカートリッジ１４Ｍと、シアン（Ｃ）のトナー画像を形成するシアンドラムカートリッジ１４Ｃと、ホワイト（Ｗ）のトナー画像を形成する下流側ホワイトドラムカートリッジ１４ＷＤとの６個のドラムカートリッジ１４が前から後へ順に並び着脱可能に装着されている。以下では、ブラックドラムカートリッジ１４Ｋ、イエロードラムカートリッジ１４Ｙ、マゼンタドラムカートリッジ１４Ｍ及びシアンドラムカートリッジ１４Ｃをまとめてカラードラムカートリッジ１４Ａとも呼び、上流側ホワイトドラムカートリッジ１４ＷＵ及び下流側ホワイトドラムカートリッジ１４ＷＤをまとめてホワイトドラムカートリッジとも呼ぶ。また、上流側ホワイトドラムカートリッジ１４ＷＵ、ブラックドラムカートリッジ１４Ｋ、イエロードラムカートリッジ１４Ｙ、マゼンタドラムカートリッジ１４Ｍ及びシアンドラムカートリッジ１４Ｃ及び下流側ホワイトドラムカートリッジ１４ＷＤをまとめてドラムカートリッジ１４とも呼ぶ。
【００１７】
このようにカラープリンタ１は、カラードラムカートリッジ１４Ａに対し印刷用紙Ｐの上流側（すなわち印刷用紙Ｐの搬送路の最上流）及び下流側（すなわち印刷用紙Ｐの搬送路の最下流）に、同じ色（本実施の形態においてはホワイト）のドラムカートリッジであるホワイトドラムカートリッジが１個ずつ配置されている。
【００１８】
画像形成部１２と中搬送部８との間には、幅広の無端ベルトでなる中間転写ベルト１６を走行させるベルト走行部１８が設けられている。このベルト走行部１８は、複数のローラの周囲に中間転写ベルト１６を張架させており、その上側部分において、各ドラムカートリッジ１４のローラと該中間転写ベルト１６とを当接させ、また下側部分において、トナー転写部１０内で該中間転写ベルト１６を印刷用紙Ｐの搬送路に当接させている。
【００１９】
画像形成部１２の各ドラムカートリッジ１４は、それぞれ印刷画像データが供給されると、この印刷画像データに応じたトナー像を形成する。ベルト走行部１８は、中間転写ベルト１６を走行させることにより、各ドラムカートリッジにより形成された各色のトナー像を中間転写ベルト１６に順次転写し、この転写されたトナー像をトナー転写部１０まで進行させる。トナー転写部１０は、トナー像を中間転写ベルト１６から印刷用紙Ｐに転写させる。
【００２０】
このように画像形成部１２と給紙トレイ４との間には、中搬送部８、トナー転写部１０及び中間転写ベルト１６により構成され、ドラムカートリッジ１４に形成されたトナー像を印刷用紙Ｐに転写させる転写部１９が形成されている。
【００２１】
中搬送部８は、トナー像が転写された印刷用紙Ｐを定着部２０へ向かう後方である下流側へ搬送し、定着部２０内へ進行させる。定着部２０は、搬送路の上下に配置された一対のローラを所定方向へ回転させながら、印刷用紙Ｐ及びトナーに熱及び圧力を加えることにより、トナーを印刷用紙Ｐに定着させ、この印刷用紙Ｐをさらに後方へ進行させる。これにより印刷用紙Ｐには、印刷画像データに基づいた画像が形成される。
【００２２】
定着部２０の後方及び上方には、排出搬送部２２が設けられている。排出搬送部２２は、繰出搬送部６及び中搬送部８と同様に、印刷用紙Ｐを案内するガイド及び複数のローラ対により構成されている。この排出搬送部２２は、下端において前側の定着部２０から引き渡される印刷用紙Ｐを上方へ進行させ、やがてその上端近傍で前方向へ送り出すような搬送路を形成している。また排出搬送部２２の上端における前側であって、筐体２の上面には、画像が形成された印刷用紙Ｐを集積する用紙受渡部２４が設けられている。排出搬送部２２は、定着部２０から引き渡される印刷用紙Ｐを搬送路に沿って上方へ搬送し、前方へ放出することにより、該印刷用紙Ｐを用紙受渡部２４に集積させる。
【００２３】
このようにしてカラープリンタ１は、給紙トレイ４に収納されている印刷用紙Ｐを繰り出し、繰出搬送部６、中搬送部８及び排出搬送部２２により順次搬送しながら、トナー画像の転写及び定着を行うことで、該印刷用紙Ｐに画像を形成する。以下では、第１の実施の形態によるカラープリンタ１において印刷用紙Ｐに画像を形成する領域であるトナー転写部１０を、画像形成領域２７とも呼ぶ。
【００２４】
［１−２．カラープリンタの機能構成］
カラープリンタ１は、図２に示すようにシステム制御部３２が各部を統轄制御する。システム制御部３２は、図示しないＣＰＵ（Central Processing Unit）を中心に構成されており、ＲＯＭ（Read Only Memory）、ハードディスクドライブやフラッシュメモリ等でなる記憶部から所定のプログラムを読み出して実行することにより、各部を制御して印刷処理等の種々の処理を実行する。
【００２５】
データ通信部３４は、ネットワーク又はＵＳＢ（Universal Serial Bus）等のインタフェースであり、外部のパーソナルコンピュータのような情報端末である上位装置２８と無線又は有線により接続されている。データ通信部３４は、上位装置２８から印刷対象のカラー画像を表す印刷データが与えられると共に該印刷データの印刷が指示されると、印刷データを受信バッファ５２に格納する。
【００２６】
ＰＤＬデータ解析部３６は、受信バッファ５２から印刷データを読み込み、ページ記述言語（ＰＤＬ:Page Description Language）のデータ構文に従い解析する。ＰＤＬデータ描画部３８は、ＰＤＬデータ解析部３６が解析したＰＤＬデータ構文から、文字や図形やイメージ等と、描画オブジェクトと、印刷用紙内での配置情報とを、一般的にディスプレイコードと呼ばれる中間言語として生成し、記憶部５０に記憶させる。
【００２７】
印刷画像生成部４０は、記憶部５０からディスプレイコードＤＣを読み込み、１ページ分の各色の印刷画像データを生成する。特色制御部４４は、印刷データ中に指定された特色印刷順序に従い、特色画像データの出力先のドラムカートリッジ１４を設定する。
【００２８】
印刷制御部４２は、カラー画像データの出力先のドラムカートリッジ１４を設定する。また印刷制御部４２は、印刷画像生成部４０から１ページ分のラスタデータである印刷画像データを読み込み、ドラムカートリッジ１４から中間転写ベルト１６へ各色のトナー像を順次転写してトナー転写部１０により該トナー像を中間転写ベルト１６から印刷用紙Ｐに転写させ、定着部２０で該印刷用紙Ｐに熱及び圧力を加えさせることにより、該印刷画像データを印刷用紙Ｐに印刷する。
【００２９】
記憶部５０は、電源遮断に伴いデータを消失する揮発性メモリであり、印刷データを一時的に保持すると共にＰＤＬデータ解析部３６に供給する受信バッファ５２を有している。また記憶部５０は、印刷データ中に指定された特色の使用方法を示す特色使用方法指定情報Ｉ１や、特色の重ね方を示す特色重ね方指定情報Ｉ２や、ディスプレイコードＤＣや、印刷結果となる各色の画像データＧＤ１等を保持する。この画像データＧＤ１は、シアン画像データＧＤｃ、マゼンタ画像データＧＤｍ、イエロー画像データＧＤｙ、ブラック画像データＧＤｂ及び特色画像データＧＤｓを有している。以下ではシアン画像データＧＤｃ、マゼンタ画像データＧＤｍ、イエロー画像データＧＤｙ、ブラック画像データＧＤｂをまとめてカラー画像データ（ＣＭＹＫ画像データ）とも呼ぶ。
【００３０】
［１−３．特色印刷設定画面の構成］
上位装置２８は、特色に関する設定をユーザに指定させる画面である図３に示す特色印刷設定画面ＤＩＰ１を、所定の表示機器に表示する。特色印刷設定画面ＤＩＰ１は、特色トナー表示部Ｓ１、使用方法選択部Ｓ２及び重ね合わせ順序選択部Ｓ３を有している。
【００３１】
特色トナー表示部Ｓ１は、画像形成部１２に現在装着されている特色のドラムカートリッジのトナーの色を示しており、本実施の形態においてはホワイトトドラムカートリッジが装着されているため、「ホワイト」と表示されている。
【００３２】
使用方法選択部Ｓ２は、印刷用紙Ｐの面方向に沿った領域のうちどの部分に特色トナーを印刷するかをユーザに選択させる部分であり、６個の項目が表示されており、そのうちユーザにより１個の項目が選択される。
【００３３】
ここで、「使用しない」の項目が選択されると、カラープリンタ１は、特色トナーを使用しない。また、「使用しない」の項目が選択されると、重ね合わせ順序選択部Ｓ３はグレーアウトされユーザに選択させ得ない状態となる。「ページ全体」の項目が選択されると、カラープリンタ１は、印刷用紙Ｐの印刷可能な範囲全体に特色を印刷する。「データ部分（白を除く）」の項目が選択されると、カラープリンタ１は、白色の部分を除いて、画像データに特色を印刷する。「データ部分（白を含む）」の項目が選択されると、カラープリンタ１は、白色の部分を含み、画像データに特色を印刷する。「特色トナーのみで印刷」の項目が選択されると、カラープリンタ１は、特色ではないカラーの画像データを、特色に置き換えて印刷する。「ウォーターマーク／オーバーレイ」の項目が選択されると、カラープリンタ１は、ウォーターマークの印刷か、又は所定の画像データのオーバーレイ印刷を、特色で行う。
【００３４】
重ね合わせ順序選択部Ｓ３は、カラー画像（すなわちＣＭＹＫ画像）に対する前面、すなわち印刷用紙Ｐにおける最上面に特色を印刷する特色最上面印刷か、又はカラー画像（ＣＭＹＫ画像）に対する背面、すなわち印刷用紙Ｐにおける最下面に特色を印刷する特色最下面印刷かの何れかをユーザに選択させる部分であり、２個の項目が表示されており、そのうちユーザにより１個の項目が選択される。
【００３５】
「カラーの上に特色を印刷」の項目が選択されると、カラープリンタ１は、特色最上面印刷を行う。一方「カラーの下に特色を印刷」の項目が選択されると、カラープリンタ１は、特色最下面印刷を行う。
【００３６】
［１−４．印刷処理手順］
次に、カラープリンタ１による印刷処理の具体的な処理手順について、図４及び図５のフローチャートを用いて説明する。カラープリンタ１のユーザは、上位装置２８において特色印刷設定画面ＤＩＰ１を操作し特色の使用方法と重ね合わせの順序とを設定し、印刷を指示する。印刷を指示されると、システム制御部３２は、ＲＯＭから印刷処理プログラムを読み出して実行することにより印刷処理手順ＲＴ１を開始し、ステップＳＰ１へ移る。
【００３７】
ステップＳＰ１においてシステム制御部３２は、データ通信部３４により印刷データを受信して受信バッファ５２へ格納させ、ステップＳＰ２へ移る。ステップＳＰ２においてシステム制御部３２は、ＰＤＬデータ解析部３６により印刷データをＰＤＬ言語の構文に従い１行毎に解析を開始させ、ステップＳＰ３へ移る。
【００３８】
ステップＳＰ３においてシステム制御部３２は、ＰＤＬデータ解析部３６により、受信した印刷データ全ての解析が終了したか否かを判定する。ここで否定結果が得られると、受信した印刷データの解析は未だ終了していないため、システム制御部３２はステップＳＰ４へ移る。
【００３９】
ステップＳＰ４においてシステム制御部３２は、ＰＤＬデータ解析部３６により、ページの終了を示すページ終了コマンドを認識したか否かを判定する。ここで否定結果が得られると、印刷データにおいて現在解析を行っているページには未だ解析していないコマンドが存在するため、システム制御部３２はステップＳＰ５へ移る。
【００４０】
ステップＳＰ５においてシステム制御部３２は、ＰＤＬデータ解析部３６により、現在解析したコマンドが、ページ制御に関するコマンドであるページ制御コマンドか又は描画に介するコマンドである描画コマンドの何れであるかを判定する。ここでページ制御コマンドと認識した場合、システム制御部３２はステップＳＰ６へ移り、現在解析したコマンドが、特色について設定する特色設定コマンドか又はページ制御コマンドのうち特色設定コマンド以外のコマンドであるその他制御コマンドの何れであるかを判定する。ここで特色設定コマンドと認識した場合、システム制御部３２はステップＳＰ７へ移り、特色設定コマンドにより指定される指定内容を、特色使用方法指定情報Ｉ１及び特色重ね方指定情報Ｉ２として記憶部５０へ記憶させる。特色設定コマンドは、特色の種類、特色の使用方法、特色の重ね方等を指定している。続いてシステム制御部３２はステップＳＰ２へ戻り、ＰＤＬデータ解析部３６により、次の行の解析を続行する。
【００４１】
一方ステップＳＰ６においてその他制御コマンドと認識した場合、システム制御部３２はステップＳＰ８へ移り、その他設定コマンドにより指定される指定内容を、記憶部５０へ記憶させる。その他制御コマンドは、印刷用紙のサイズ、給紙トレイ４の種類等、印刷に関する一般的な情報を指定している。続いてシステム制御部３２はステップＳＰ２へ戻り、ＰＤＬデータ解析部３６により、次の行の解析を続行する。
【００４２】
一方ステップＳＰ５において描画コマンドと認識した場合、システム制御部３２はステップＳＰ９（図５）へ移り、現在解析したコマンドが、テキスト描画に関するコマンドであるテキスト描画コマンド、図形描画に関するコマンドである図形描画コマンド又はイメージ描画に関するコマンドであるイメージ描画コマンドの何れであるかを判定する。
【００４３】
ステップＳＰ９においてテキスト描画コマンドと認識した場合、システム制御部３２はステップＳＰ１０へ移り、ＰＤＬデータ描画部３８により、テキスト描画コマンドにより指定される指定内容に基づき、テキストを表すディスプレイコードＤＣを作成し、記憶部５０に記憶させる。テキスト描画コマンドは、文字の種類、文字のサイズ、文字の書体等を指定している。続いてシステム制御部３２はステップＳＰ２へ戻り、ＰＤＬデータ解析部３６により、次の行の解析を続行する。ここで、第１の実施の形態によるシステム制御部３２は、特色に関する情報を付加せずに、テキスト描画コマンド通りのディスプレイコードを作成する。
【００４４】
一方ステップＳＰ９において図形描画コマンドと認識した場合、システム制御部３２はステップＳＰ１１へ移り、ＰＤＬデータ描画部３８により、図形描画コマンドにより指定される指定内容に基づき、図形を表すディスプレイコードＤＣを作成し、記憶部５０に記憶させる。図形描画コマンドは、丸、三角、四角等の座標等を指定している。続いてシステム制御部３２はステップＳＰ２へ戻り、ＰＤＬデータ解析部３６により、次の行の解析を続行する。ここで、第１の実施の形態によるシステム制御部３２は、特色に関する情報を付加せずに、図形描画コマンド通りのディスプレイコードを作成する。
【００４５】
一方ステップＳＰ９においてイメージ描画コマンドと認識した場合、システム制御部３２はステップＳＰ１２へ移り、ＰＤＬデータ描画部３８により、イメージ描画コマンドにより指定される指定内容に基づき、イメージを表すディスプレイコードＤＣを作成し、記憶部５０に記憶させる。イメージ描画コマンドは、写真等の画像を指定している。続いてシステム制御部３２はステップＳＰ２へ戻り、ＰＤＬデータ解析部３６により、次の行の解析を続行する。ここで、第１の実施の形態によるシステム制御部３２は、特色に関する情報を付加せずに、イメージ描画コマンド通りのディスプレイコードを作成する。
【００４６】
１ページ分のコマンドの解析が終了し、ＰＤＬデータ解析部３６によりページ終了コマンドを認識すると、ステップＳＰ４においてシステム制御部３２は肯定結果を得て、ステップＳＰ１３へ移る。ステップＳＰ１３においてシステム制御部３２は、印刷画像生成部４０により、記憶部５０に記憶されたディスプレイコードＤＣ及び特色使用方法指定情報Ｉ１に基づき、シアン、マゼンタ、イエロー、ブラック及び特色（ホワイト）の各色の１ページ分の印刷画像データを生成し、それぞれシアン画像データＧＤｃ、マゼンタ画像データＧＤｍ、イエロー画像データＧＤｙ、ブラック画像データＧＤｂ及び特色画像データＧＤｓとして記憶部５０に記憶させ、ステップＳＰ１４へ移る。これにより印刷画像生成部４０は、シアン、マゼンタ、イエロー、ブラック及び特色（ホワイト）の、合計５枚分の画像データを生成することとなる。このとき印刷画像生成部４０は、特色指定が無い場合、シアン、マゼンタ、イエロー、ブラックの画像データのみを生成する。
【００４７】
ステップＳＰ１４においてシステム制御部３２は、特色制御部４４により、特色画像データＧＤｓが記憶部５０に存在するか否かを判定する。ここで肯定結果が得られると、このことは、特色画像データＧＤｓが存在するため特色制御部４４において該特色画像データＧＤｓに関する処理を行う必要があることを表し、このときシステム制御部３２はステップＳＰ１５へ移る。
【００４８】
ステップＳＰ１５においてシステム制御部３２は、特色制御部４４により、記憶部５０に記憶された特色重ね方指定情報Ｉ２を参照し、特色最上面印刷又は特色最下面印刷の何れが指定されているかを判定する。
【００４９】
ステップＳＰ１５において特色最上面印刷と判定した場合、システム制御部３２はステップＳＰ１６へ移り、特色制御部４４により、特色画像データＧＤｓを上流側ホワイトドラムカートリッジ１４ＷＵへ設定し、ステップＳＰ１８へ移る。ここで、カラープリンタ１は二次転写方式であるため、ドラムカートリッジ１４から中間転写ベルト１６において最下面（すなわち該中間転写ベルト１６に最も近接する層）になるように転写されたトナーが、印刷用紙Ｐにおいて最上面に転写される。このためカラープリンタ１は、特色最上面印刷を行う際、特色画像データＧＤｓを上流側ホワイトドラムカートリッジ１４ＷＵへ設定する。
【００５０】
一方ステップＳＰ１５において特色最下面印刷と判定した場合、システム制御部３２はステップＳＰ１７へ移り、特色制御部４４により、特色画像データＧＤｓを下流側ホワイトドラムカートリッジ１４ＷＤへ設定し、ステップＳＰ１８へ移る。ここで、カラープリンタ１は二次転写方式であるため、ドラムカートリッジ１４から中間転写ベルト１６において最上面（すなわち該中間転写ベルト１６から最も離隔する層）になるように転写されたトナーが、印刷用紙Ｐにおいて最下面に転写される。このためカラープリンタ１は、特色最下面印刷を行う際、特色画像データＧＤｓを下流側ホワイトドラムカートリッジ１４ＷＤへ設定する。
【００５１】
一方ステップＳＰ１４において否定結果が得られると、このことは、特色画像データＧＤｓが存在しないため特色制御部４４において該特色画像データＧＤｓに関する処理を行う必要がないことを表し、このときシステム制御部３２はステップＳＰ１５乃至ＳＰ１７をスキップし、ステップＳＰ１８へ移る。
【００５２】
ステップＳＰ１８においてシステム制御部３２は、印刷制御部４２により、シアン画像データＧＤｃをシアンドラムカートリッジ１４Ｃへ、マゼンタ画像データＧＤｍをマゼンタドラムカートリッジ１４Ｍへ、イエロー画像データＧＤｙをイエロードラムカートリッジ１４Ｙへ、ブラック画像データＧＤｂをブラックドラムカートリッジ１４Ｋへ、それぞれ設定し、ステップＳＰ１９へ移る。
【００５３】
ステップＳＰ１９においてシステム制御部３２は、印刷制御部４２により、１ページ分の印刷画像データを印刷用紙Ｐに印刷する。具体的には印刷制御部４２は、カラードラムカートリッジ１４Ａと、特色画像データが設定された上流側ホワイトドラムカートリッジ１４ＷＵ又は下流側ホワイトドラムカートリッジ１４ＷＤの何れか一方とから印刷用紙Ｐに印刷を行う。続いてシステム制御部３２はステップＳＰ２へ戻り、ＰＤＬデータ解析部３６により、次のページの解析を続行する。
【００５４】
指定されたバイト数のデータ解析が終了することにより、受信した印刷データの解析が終了すると、ステップＳＰ３においてシステム制御部３２は肯定結果を得て、ステップＳＰ２０へ移り、印刷処理手順ＲＴ１を終了する。
【００５５】
［１−５．動作及び効果］
以上の構成においてカラープリンタ１は、カラードラムカートリッジ１４Ａに対し印刷用紙Ｐの搬送方向の上流側及び下流側に、同じ機能、すなわち同じ色の特色ドラムカートリッジとしてのホワイトドラムカートリッジを１個ずつ配置するようにした。
【００５６】
またカラープリンタ１は、最上面にホワイトトナーを転写する場合、図６に示すように、シアンドラムカートリッジ１４Ｃ、マゼンタドラムカートリッジ１４Ｍ、イエロードラムカートリッジ１４Ｙ、ブラックドラムカートリッジ１４Ｋ及び上流側ホワイトドラムカートリッジ１４ＷＵを、印刷する際に用いるドラムカートリッジである使用ドラムカートリッジＵＤとして用いるようにした。
【００５７】
一方カラープリンタ１は、最下面にホワイトトナーを転写する場合、図７に示すように、下流側ホワイトドラムカートリッジ１４ＷＤ、シアンドラムカートリッジ１４Ｃ、マゼンタドラムカートリッジ１４Ｍ、イエロードラムカートリッジ１４Ｙ及びブラックドラムカートリッジ１４Ｋを、使用ドラムカートリッジＵＤとして用いるようにした。
【００５８】
ここで、従来のカラープリンタにおいては、例えばカラートナーカートリッジの下流側にのみホワイトトナーカートリッジが配された場合において、ホワイトトナーを最下面に転写する場合、画像形成領域においてホワイトトナーを印刷用紙に一旦転写した後に、再度画像形成領域へ印刷用紙を搬送する必要があった。しかしながらその場合、画像形成領域においてホワイトトナーを転写した後にカラープリンタ内において印刷用紙を搬送させ、再度画像形成領域へ印刷用紙を搬送するため、１回目のトナー転写と２回目のトナー転写とで、印刷用紙の搬送方向と、該印刷用紙の紙面に直交する方向とに直交する左右方向である主走査方向に印刷用紙の位置がずれてしまい、ホワイトトナーとカラートナーとで印刷用紙に形成される画像の主走査方向の位置がずれてしまう場合があった。カラートナーカートリッジの上流側にのみホワイトトナーカートリッジが配されている場合において、ホワイトトナーを最上面に転写する場合も同様である。
【００５９】
これに対しカラープリンタ１は、最上面又は最下面の何れにホワイトトナーを転写する場合であっても、カラープリンタ１は、画像形成領域２７を一度だけ通過させた後に再度画像形成領域２７へ搬送することなく、用紙受渡部２４へ該印刷用紙Ｐを搬送するようにした。これによりカラープリンタ１は、画像形成領域２７を一旦通過させた後に再度該画像形成領域２７まで印刷用紙Ｐを搬送することによるカラートナーとホワイトトナーとの画像の位置ずれを抑え、画質を向上させることができる。
【００６０】
また従来のカラープリンタにおいて、ホワイトトナーが転写された印刷用紙を定着部に通し該ホワイトトナーを印刷用紙に定着させた後、該印刷用紙を再度画像形成領域へ搬送し、カラートナーを該印刷用紙へ転写するものがあった。しかしながらその場合、定着部により熱が加えられると印刷用紙は縮むため、縮んだ状態の該印刷用紙にカラートナーを転写すると、ホワイトトナーとカラートナーとで印刷用紙に形成される画像のサイズが異なってしまう場合があった。
【００６１】
これに対しカラープリンタ１は、最上面又は最下面の何れにホワイトトナーを転写する場合であっても、定着部２０を通す前に印刷用紙Ｐにカラートナーとホワイトトナーとを転写するようにした。すなわちカラープリンタ１は、画像形成領域２７を一度だけ通過させた後に定着部２０へ印刷用紙Ｐを搬送し、その後画像形成領域２７へ搬送することなく、用紙受渡部２４へ該印刷用紙Ｐを搬送するようにした。これによりカラープリンタ１は、定着部を一旦通過させた後に再度トナーを転写することによるカラートナーとホワイトトナーとの画像のサイズの誤差の発生を抑え、画質を向上させることができる。
【００６２】
以上の構成によればカラープリンタ１は、カラー現像剤画像としてのカラートナー画像を形成するカラードラムカートリッジ１４Ａと、該カラードラムカートリッジ１４Ａに対し印刷用紙Ｐの搬送方向の上流側に配され、カラー現像剤画像とは異なる機能としての異なる色の特色現像剤画像としてのホワイトトナー画像を形成する上流側ホワイトドラムカートリッジ１４ＷＵと、該カラードラムカートリッジ１４Ａに対し印刷用紙Ｐの搬送方向の下流側に配され、上流側ホワイトドラムカートリッジ１４ＷＵと同一の機能の特色現像剤画像を形成する下流側ホワイトドラムカートリッジ１４ＷＤとを設けるようにした。
【００６３】
これによりカラープリンタ１は、画像形成領域２７に印刷用紙Ｐを一度通過させるだけで、カラートナー画像の前面又は背面の何れにも、該カラートナー画像との位置ずれを抑制しつつホワイトトナー画像を形成することができる。
【００６４】
［２．第２の実施の形態］
［２−１．カラープリンタの内部構成及び機能構成］
図１及び図２とそれぞれ対応する図８及び図９に示すように、第２の実施の形態によるカラープリンタ１０１は、第１の実施の形態によるカラープリンタ１と比べて、転写部１１９が転写部１９と、システム制御部１３２がシステム制御部３２と異なっているものの、それ以外は同様に構成されている。
【００６５】
転写部１１９は、転写ベルト２６により構成されている。転写ベルト２６は幅広の無端ベルトであり画像形成部１２の下側において複数のローラの周囲に張架され走行している。転写ベルト２６は、その上側部分において、各ドラムカートリッジ１４のローラと当接している。
【００６６】
画像形成部１２の各ドラムカートリッジ１４は、それぞれ印刷画像データが供給されると、この印刷画像データに応じたトナー像を形成する。転写部１１９は、転写ベルト２６を走行させることにより、各ドラムカートリッジにより形成された各色のトナー像を、該転写ベルト２６によって搬送される印刷用紙Ｐに転写する。以下では、第２の実施の形態によるカラープリンタ１０１において印刷用紙Ｐに画像を形成する領域である、転写ベルト２６において上流側ホワイトドラムカートリッジ１４ＷＵに当接する箇所から下流側ホワイトドラムカートリッジ１４ＷＤに当接する箇所までに渡る領域を、画像形成領域１２７とも呼ぶ。
【００６７】
図９に示すように、記憶部５０は、画像データＧＤ１（図２）に代えて、画像データＧＤ１０１を保持する。この画像データＧＤ１０１は、画像データＧＤ１と比べて、特色画像データＧＤｓに代えて上流側特色画像データＧＤｓｕ及び下流側特色画像データＧＤｓｄを有している。
【００６８】
［２−２．特色印刷設定画面の構成］
上位装置２８は、図１０に示す特色印刷設定画面ＤＩＰ１０１を、所定の表示機器に表示する。特色印刷設定画面ＤＩＰ１０１は、特色トナー表示部Ｓ１０１、最上面特色設定部ＳＴ及び最下面特色設定部ＳＢを有している。
【００６９】
特色トナー表示部Ｓ１０１は、特色印刷設定画面ＤＩＰ１（図３）の特色トナー表示部Ｓ１と同様に、画像形成部１２に現在装着されている特色のドラムカートリッジのトナーの色を示している。最上面特色設定部ＳＴは、特色最上面印刷を行う際の印刷方法をユーザに選択させる部分であり、特色印刷設定画面ＤＩＰ１（図３）の使用方法選択部Ｓ２と同様に、６個の項目が表示されている。最下面特色設定部ＳＢは、特色最下面印刷を行う際の印刷方法をユーザに選択させる部分であり、最上面特色設定部ＳＴと同様の項目を有している。
【００７０】
このようにカラープリンタ１０１は、１枚の印刷用紙内においてカラー画像（ＣＭＹＫ画像）の前面と背面との両方に特色を印刷し得るように設定されている。
【００７１】
［２−３．印刷処理手順］
図４及び図５と対応する図１１及び図１２に示すように第２の実施の形態における印刷処理手順ＲＴ１０１は、第１の実施の形態における印刷処理手順ＲＴ１と比べて、ステップＳＰ１０乃至ＳＰ１２に代えてステップＳＰ１１０乃至ＳＰ１１２が、ステップＳＰ１３に代えてステップＳＰ１１３が、ステップＳＰ１５乃至ＳＰ１７に代えてステップＳＰ１１６及びＳＰ１１７が設けられているものの、他のステップは同様に構成されているため、以下では印刷処理手順ＲＴ１と異なるステップについて主に説明する。
【００７２】
ステップＳＰ９においてテキスト描画コマンドと認識した場合、システム制御部１３２はステップＳＰ１１０へ移り、ＰＤＬデータ描画部３８により、テキスト描画コマンドにより指定される指定内容に基づき、テキストを表すディスプレイコードＤＣを作成し、記憶部５０に記憶させる。ここで、第２の実施の形態によるシステム制御部１３２は、特色に関する情報が含まれるテキスト描画コマンドのディスプレイコードを作成する。
【００７３】
一方ステップＳＰ９において図形描画コマンドと認識した場合、システム制御部１３２はステップＳＰ１１０へ移り、ＰＤＬデータ描画部３８により、図形描画コマンドにより指定される指定内容に基づき、図形を表すディスプレイコードＤＣを作成し、記憶部５０に記憶させる。ここで、第２の実施の形態によるシステム制御部１３２は、特色に関する情報が含まれる図形描画コマンドのディスプレイコードを作成する。
【００７４】
一方ステップＳＰ９においてイメージ描画コマンドと認識した場合、システム制御部１３２はステップＳＰ１１２へ移り、ＰＤＬデータ描画部３８により、イメージ描画コマンドにより指定される指定内容に基づき、イメージを表すディスプレイコードＤＣを作成し、記憶部５０に記憶させる。ここで、第２の実施の形態によるシステム制御部１３２は、特色に関する情報が含まれるイメージ描画コマンドのディスプレイコードを作成する。
【００７５】
またステップＳＰ１１３においてシステム制御部１３２は、印刷画像生成部４０により、記憶部５０に記憶されたディスプレイコードＤＣ及び特色使用方法指定情報Ｉ１に基づき、シアン、マゼンタ、イエロー、ブラック、上流側の特色（ホワイト）及び下流側の特色（ホワイト）の各色の１ページ分の印刷画像データを生成し、それぞれシアン画像データＧＤｃ、マゼンタ画像データＧＤｍ、イエロー画像データＧＤｙ、ブラック画像データＧＤｂ、上流側特色画像データＧＤｓｕ及び下流側特色画像データＧＤｓｄとして記憶部５０に記憶させ、ステップＳＰ１４へ移る。これにより印刷画像生成部４０は、シアン、マゼンタ、イエロー、ブラック、上流側の特色（ホワイト）及び下流側の特色（ホワイト）の、合計６枚分の画像データを生成することとなる。このとき印刷画像生成部４０は、特色指定が無い場合、シアン、マゼンタ、イエロー、ブラックの画像データのみを生成する。
【００７６】
ステップＳＰ１１６においてシステム制御部１３２は、特色制御部４４により、上流側特色画像データＧＤｓｕを上流側ホワイトドラムカートリッジ１４ＷＵへ設定し、ステップＳＰ１１７へ移る。ステップＳＰ１１７においてシステム制御部１３２は、特色制御部４４により、下流側特色画像データＧＤｓｄを下流側ホワイトドラムカートリッジ１４ＷＤへ設定し、ステップＳＰ１８へ移る。
【００７７】
［２−４．動作及び効果］
以上の構成においてカラープリンタ１０１は、特色に関する情報が含まれるテキスト描画コマンド、図形描画コマンド及びイメージ描画コマンドのディスプレイコードを作成するようにした。
【００７８】
これによりカラープリンタ１０１は、例えばカラートナーの背面においてページ全体にホワイトトナーを印刷しつつ該カラートナーの前面においてホワイトトナーでウォーターマークを印刷する等、１枚の印刷用紙Ｐにおいてカラートナーの背面と前面との両方にホワイトトナーを用いて印刷を行うことができる。
【００７９】
その他第２の実施の形態によるカラープリンタ１０１は、第１の実施の形態によるカラープリンタ１とほぼ同様の作用効果を奏する。
【００８０】
［３．他の実施の形態］
なお上述した実施の形態においては、特色トナーとしてホワイトトナーを用いたが、カラートナー以外の例えば透明な画像を生成するクリアトナー等でも良い。
【００８１】
また上述した実施の形態においては、カラードラムカートリッジ１４Ａに対し上流側及び下流側にホワイトドラムカートリッジを１個ずつ配置する場合について述べた。本発明はこれに限らず、カラードラムカートリッジ１４Ａに対し上流側及び下流側にホワイトドラムカートリッジを２個以上ずつ所定個数配置しても良く、又はカラードラムカートリッジ１４Ａに対し上流側にホワイトドラムカートリッジ及びクリアトナーを１個ずつ、下流側にホワイトドラムカートリッジ及びクリアトナーを１個ずつ配置しても良い。
【００８２】
さらに上述した実施の形態においては、印刷用紙Ｐにトナーを転写させた後に定着部２０で該トナーを印刷用紙Ｐに定着させることで画像を印刷用紙に形成するカラープリンタ１及び１０１に本発明を適用する場合について述べた。本発明はこれに限らず、定着部を有さず感熱用紙を加熱することで画像を形成するプリンタに本発明を適用しても良い。
【００８３】
さらに上述した実施の形態において、上流側ホワイトドラムカートリッジ１４ＷＵ又は下流側ホワイトドラムカートリッジ１４ＷＤの何れか一方のトナーの残量が少ない場合であって、印刷用紙Ｐにおいて最下面に転写すべきホワイトトナー画像の前面にカラートナー画像が配置されていない場合、最下面に転写すべきホワイトトナーを転写するホワイトドラムカートリッジの代わりに、最上面に転写すべきホワイトトナーを転写するホワイトドラムカートリッジを用いても良い。
【００８４】
さらに上述した実施の形態においては、カラートナーはシアン（Ｃ）、マゼンタ（Ｍ）、イエロー（Ｙ）及びブラック（Ｋ）全てにより構成される場合について述べた。本発明はこれに限らず、カラートナーはシアン（Ｃ）、マゼンタ（Ｍ）、イエロー（Ｙ）及びブラック（Ｋ）のうちから所定数のトナーを選択して構成しても良い。
【００８５】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。すなわち例えば、第１の実施の形態による転写部１９を有するカラープリンタ１において、第２の実施の形態による印刷処理手順ＲＴ１０１を行なっても良く、第２の実施の形態による転写部１１９を有するカラープリンタ１０１において、第１の実施の形態による印刷処理手順ＲＴ１を行なっても良い。
【００８６】
さらに上述した実施の形態においては、電子写真式のカラープリンタ１及び１０１に本発明を適用する場合について述べた。本発明はこれに限らず、例えばコピー機、ＦＡＸ機等、外部から印刷データやスキャン画像データ等を入力して画像を形成する種々の装置に本発明を適用しても良い。
【００８７】
さらに上述した実施の形態においては、カラー画像形成部としてのカラードラムカートリッジ１４Ａと、上流側特色画像形成部としての上流側ホワイトドラムカートリッジ１４ＷＵと、下流側特色画像形成部としての下流側ホワイトドラムカートリッジ１４ＷＤとによって、画像形成装置としてのカラープリンタ１を構成する場合について述べた。しかしながら本発明はこれに限らず、その他種々の構成でなるカラー画像形成部と、上流側特色画像形成部と、下流側特色画像形成部とによって画像形成装置を構成するようにしても良い。
【産業上の利用可能性】
【００８８】
本発明は、プリンタに画像を印刷させるコンピュータの他、イメージスキャナやファクシミリ装置、或いは複写機等、画像に関する種々の処理を行う種々の電子機器でも利用できる。
【符号の説明】
【００８９】
１、１０１……カラープリンタ、２……筐体、４……給紙トレイ、６……繰出搬送部、８……中搬送部、１０……トナー転写部、１２……画像形成部、１４……ドラムカートリッジ、１４Ａ……カラードラムカートリッジ、１４ＷＵ……上流側ホワイトドラムカートリッジ、１４Ｋ……ブラックドラムカートリッジ、１４Ｙ……イエロードラムカートリッジ、１４Ｍ……マゼンタドラムカートリッジ、１４Ｃ……シアンドラムカートリッジ、１４ＷＤ……下流側ホワイトドラムカートリッジ、ＵＤ……使用ドラムカートリッジ、１６……中間転写ベルト、１８……ベルト走行部、１９、１１９……転写部、２０……定着部、２２……排出搬送部、２４……用紙受渡部、２６……転写ベルト、２７、１２７……画像形成領域、２８……上位装置、３２、１３２……システム制御部、３４……データ通信部、３６……ＰＤＬデータ解析部、３８……ＰＤＬデータ描画部、４０……印刷画像生成部、４２……印刷制御部、４４……特色制御部、５０……記憶部、５２……受信バッファ、Ｉ１……特色使用方法指定情報、Ｉ２……特色重ね方指定情報、ＤＣ……ディスプレイコード、ＧＤ１、ＧＤ１０１……画像データ、ＧＤｃ……シアン画像データ、ＧＤｍ……マゼンタ画像データ、ＧＤｙ……イエロー画像データ、ＧＤｂ……ブラック画像データ、ＧＤｓ……特色画像データ、ＧＤｓｕ……上流側特色画像データ、ＧＤｓｄ……下流側特色画像データ、ＤＩＰ１、ＤＩＰ１０１……特色印刷設定画面、Ｓ１、Ｓ１０１……特色トナー表示部Ｓ２……使用方法選択部Ｓ３……重ね合わせ順序選択部ＳＴ……最上面特色設定部、ＳＢ……最下面特色設定部、Ｐ……印刷用紙。
【図１】
2016153828.tif 000003
【図２】
2016153828.tif 000004
【図３】
2016153828.tif 000005
【図４】
2016153828.tif 000006
【図５】
2016153828.tif 000007
【図６】
2016153828.tif 000008
【図７】
2016153828.tif 000009
【図８】
2016153828.tif 000010
【図９】
2016153828.tif 000011
【図１０】
2016153828.tif 000012
【図１１】
2016153828.tif 000013
【図１２】
2016153828.tif 000014